(57)【特許請求の範囲】
【請求項１】
ガラス拭き装置本体（１）と、その上に配置される信号受信装置とを備えるガラス拭き装置であって、
前記信号受信装置はリモコン装置より送信された制御信号を受信し、前記制御信号は前記ガラス拭き装置本体（１）が動作するよう制御し、
前記ガラス拭き装置本体（１）のガラス（１００）表面と反対の側を表側とし、前記ガラス（１００）表面に近接する側を裏側とすると、前記信号受信装置により受信される前記制御信号は、前記ガラス拭き装置本体（１）の表側または裏側から来るものであり、
前記信号受信装置は、前記ガラス拭き装置本体（１）の表側に設けられた第１信号受信ヘッド（２１）と、前記ガラス拭き装置本体（１）の裏側に設けられた第２信号受信ヘッド（２２）とを備え、
前記第１信号受信ヘッド（２１）は前記ガラス拭き装置本体（１）の表側から送信される制御信号を受信するよう構成され、
前記第２信号受信ヘッド（２２）は前記ガラス拭き装置本体（１）の裏側から送信される制御信号を受信するよう構成される、ガラス拭き装置。
【請求項２】
ガラス拭き装置本体（１）と、その上に配置される信号受信装置とを備えるガラス拭き装置であって、
前記信号受信装置はリモコン装置より送信された制御信号を受信し、前記制御信号は前記ガラス拭き装置本体（１）が動作するよう制御し、
前記ガラス拭き装置本体（１）のガラス（１００）表面と反対の側を表側とし、前記ガラス（１００）表面に近接する側を裏側とすると、前記信号受信装置により受信される前記制御信号は、前記ガラス拭き装置本体（１）の表側または裏側から来るものであり、
前記信号受信装置は、前記ガラス拭き装置本体（１）内に設けられた第３信号受信ヘッド（３０）を備え、
前記第３信号受信ヘッド（３０）の前記表側および前記裏側と前記ガラス拭き装置本体（１）のシェルとの間にスペース（２００）が形成され、
前記スペース（２００）は中空または透明材料が充填されており、
前記スペース（２００）には第１導光ポール（２０１）および第２導光ポール（２０２）が設けられており、
前記第１導光ポール（２０１）および前記第２導光ポール（２０２）は、一端が前記第３信号受信ヘッド（３０）に接続され、他端がそれぞれ前記ガラス拭き装置本体（１）のシェルの表側および裏側に延びる、ガラス拭き装置。
【請求項３】
請求項２に記載のガラス拭き装置であって、
前記第１導光ポール（２０１）および前記第２導光ポール（２０２）は、ポリカーボネート、エンジニアリングプラスチック・ポリオキシメチレン、またはアクリルを含む透明材料からなる、ガラス拭き装置。
【請求項４】
請求項２に記載のガラス拭き装置であって、
前記第１導光ポール（２０１）および前記第２導光ポール（２０２）は、前記スペース（２００）内に接着される、または前記ガラス拭き装置本体（１）内にボルトを介して固定される、ガラス拭き装置。
【発明の詳細な説明】
【技術分野】
【０００１】
本発明は、小型の家庭用電化製品を製造する技術分野に関し、特にガラス拭き装置に関する。
【背景技術】
【０００２】
先行技術のガラス拭き装置は、リモコン装置を介して動作を制御することができる。一般に、リモコン装置は赤外線信号を送信する。赤外線信号受信機は、ガラス拭き装置本体の一方の側に、リモコン装置にまっすぐに面して設けられる。信号受信機は制御システムに接続される。赤外線信号を受信すると、制御システムは、対応する指示を実行し、対応する作業を行う。しかしながら、ガラス拭き装置がガラスの外側を清掃している場合、装置自身が赤外線信号の受信を妨害する障害物となり、リモコン装置の誤動作につながる。
【発明の概要】
【発明が解決しようとする課題】
【０００３】
本発明の目的は、先行技術における不備を克服するガラス拭き装置を提供することである。本発明のガラス拭き装置は、構造が単純で、コストが抑えられ、高感度で、制御性が高いので、装置自体が信号を妨害する障害物となるという問題が解決される。
【課題を解決するための手段】
【０００４】
本発明の目的は、以下の技術的解決法により実現される。
【０００５】
ガラス拭き装置は、ガラス拭き装置本体と、その上に配置される信号受信装置とを備える。前記信号受信装置はリモコン装置より送信された制御信号を受信し、この制御信号は前記ガラス拭き装置本体が動作するよう制御する。前記ガラス拭き装置本体のガラス表面と反対の側を表側とし、前記ガラス表面に近接する側を裏側とすると、前記信号受信装置により受信される前記制御信号は、前記ガラス拭き装置本体の表側または裏側から来る。
【０００６】
信号受信に関する利便性のために、前記信号受信装置は、前記ガラス拭き装置本体の表側に設けられた第１信号受信ヘッドと、前記ガラス拭き装置本体の裏側に設けられた第２信号受信ヘッドとを備え、前記第１信号受信ヘッドは前記ガラス拭き装置本体の表側から送信される制御信号を受信するよう構成され、前記第２信号受信ヘッドは前記ガラス拭き装置本体の裏側から送信される制御信号を受信するよう構成される。
【０００７】
前記信号受信装置は、前記ガラス拭き装置本体に設けられた第３信号受信ヘッドを備える。前記第３信号受信ヘッドの表側および裏側と前記ガラス拭き装置本体のシェルとの間にスペースが形成され、前記スペースは中空または透明材料が充填されている。
【０００８】
導光に関する利便性のために、前記スペースには第１導光ポールおよび第２導光ポールが設けられており、前記第１導光ポールおよび前記第２導光ポールは、一端が前記第３信号受信ヘッドに接続され、他端がそれぞれ前記ガラス拭き装置本体のシェルの表側および裏側に延びる。
【０００９】
前記第１導光ポールおよび前記第２導光ポールは、ポリカーボネート（ＰＣ）、エンジニアリングプラスチック・ポリオキシメチレン（ＰＯＭ）、またはアクリルを含む透明材料からなる。
【００１０】
前記第１導光ポールおよび前記第２導光ポールは、前記スペース内に接着される、または前記ガラス拭き装置本体内にボルトを介して固定される。
【００１１】
前記信号受信装置は、第４信号受信ヘッドを少なくとも１つ備え、前記少なくとも１つの第４信号受信ヘッドは前記ガラス拭き装置本体のシェルの周縁部に取り外し可能に設けられる。
【発明の効果】
【００１２】
まとめると、構造が単純で、コストが抑えられ、高感度で、制御性が高いので、本発明により、装置自体が信号を妨害する障害物となるという問題が解決される。
【００１３】
本発明の技術的解決法を、添付の図面と詳細な実施形態を参照して詳細に述べる。
【図面の簡単な説明】
【００１４】
【図１】図１は、本発明の第１実施形態にかかる構成の模式図である。
【図２】図２は、本発明の第２実施形態にかかる構成の模式図である。
【図３】図３は、本発明の第３実施形態にかかる構成の模式図である。
【発明を実施するための形態】
【００１５】
（第１実施形態）
図１は、本発明の第１実施形態にかかる構成の模式図である。図１に示すように、本実施形態は、ガラス拭き装置本体１と、その上に配置される信号受信装置とを備えるガラス拭き装置を提供する。この信号受信装置はリモコン装置より送信された制御信号を受信し、この制御信号はガラス拭き装置本体１が動作するよう制御する。信号受信装置により受信される制御信号は、ガラス拭き装置本体１の表側または裏側から来る。本明細書において、表側および裏側は、ガラス１００の表面に対するガラス拭き装置本体１の位置に応じて定義される。図１に示すように、ガラス拭き装置本体１がガラス１００の表面上で作業している場合、ガラス拭き装置本体１のガラス１００の表面と反対の側を表側とし、ガラス１００の表面に近接する側を裏側とする。
【００１６】
信号受信に関する利便性のために、信号受信装置は、ガラス拭き装置本体１の表側に設けられた第１信号受信ヘッド２１と、ガラス拭き装置本体１の裏側に設けられた第２信号受信ヘッド２２とを備え、第１信号受信ヘッド２１はガラス拭き装置本体１の表側から送信される制御信号を受信するよう構成され、第２信号受信ヘッド２２はガラス拭き装置本体１の裏側から送信される制御信号を受信するよう構成される。
【００１７】
本実施形態では、第１信号受信ヘッド２１および第２信号受信ヘッド２２が、それぞれ、ガラス拭き装置本体１の表側および裏側に設けられている。そのため、ガラス拭き装置本体１がガラス１００の表面上で作業している間、リモコン装置がガラス拭き装置本体１の表側および裏側のいずれの方向にあるかに関わらず、このリモコン装置から送信されたリモート信号を、表側／裏側に設けられた第１信号受信ヘッド２１および／または第２信号受信ヘッド２２により受信することができ、ガラス拭き装置本体１の各種動作を正確に制御することができる。
【００１８】
（第２実施形態）
図２は、本発明の第２実施形態にかかる構成の模式図である。図２に示すように、本実施形態において、ガラス拭き装置本体の構成をさらに簡易なものとすることができるように、また、好適には、ガラス１００の内側および外側の両方で作業する際に、ガラス拭き装置本体１が赤外線信号を受信することができるように、ガラス拭き装置本体１の信号受信装置は、ガラス拭き装置本体１に設けられた第３信号受信ヘッド３０を備える。第３信号受信ヘッド３０の表側および裏側とガラス拭き装置本体１のシェルとの間にスペース２００が形成され、スペース２００は中空または透明材料が充填されている（不図示）。導光に関する利便性のために、スペース２００には第１導光ポール２０１および第２導光ポール２０２が設けられており、第１導光ポール２０１および第２導光ポール２０２は、一端が第３信号受信ヘッド３０に接続され、他端がそれぞれガラス拭き装置本体１のシェルの表側および裏側に延びる。導光に関する利便性のために、これらの導光ポールは、ＰＣ（ポリカーボネート）、ＰＯＭ（エンジニアリングプラスチック・ポリオキシメチレン）、またはアクリルを含む透明材料からなる。第１導光ポール２０１および第２導光ポール２０２は、スペース２００内に接着される、またはガラス拭き装置本体１内にボルトを介して固定される。
【００１９】
本実施形態におけるガラス拭き装置本体１の信号システムは、ガラス拭き装置本体１の表側および裏側にそれぞれに接続される導光ポールを備えるため、受信された赤外線リモコン信号が、導光ポールの導光機能によって、第３信号受信ヘッド３０に伝達される。リモコン装置がガラス拭き装置本体１の表側および裏側のいずれの方向にあるかに関わらず、このリモコン装置から送信されたリモート信号を、第３信号受信ヘッド３０により受信することができ、ガラス拭き装置本体１の各種動作を正確に制御することができる。
【００２０】
（第３実施形態）
図３は、本発明の第３実施形態にかかる構成の模式図である。信号受信装置は、第４信号受信ヘッド４０を少なくとも１つ備え、この少なくとも１つの第４信号受信ヘッドはガラス拭き装置本体１のシェルの周縁部に設けられる。本体内に設けられた受信機と比較すると、本体の周縁部に設けられた第４信号受信ヘッド４０は、壊れた場合の交換をより便利に行うことができるよう、取り外し可能に配置することができる。配置される第４信号受信ヘッド４０の数は、少なくとも１つである。
【００２１】
本実施形態におけるガラス拭き装置本体１の信号システムがガラス拭き装置本体１のシェルの周縁部に取り外し可能に設けられる第４信号受信ヘッド４０を備え、第４信号受信ヘッド４０の末端部がガラス拭き装置本体１のシェル表面に突出するため、リモコン装置がガラス拭き装置本体１の表側および裏側のいずれの方向にあるかに関わらず、このリモコン装置から送信されたリモート信号を、第４信号受信ヘッド４０により受信することができ、ガラス拭き装置本体１の各種動作を正確に制御することができる。
【００２２】
まとめると、本発明にかかる上記３つの実施形態において、ガラス拭き装置本体の制御システムに設けられる各信号受信装置の構成は互いに異なるものの、表側および裏側の両方からリモート信号を受信することができるという同じ効果が実現される。本発明は、構造が単純で、コストが抑えられ、高感度で、制御性が高いので、装置自体が信号を妨害する障害物となるという問題が解決される。
【図１】
0006535595.tif 000002
【図２】
0006535595.tif 000003
【図３】
0006535595.tif 000004